(57)【要約】【課題】短時間で簡単にペットを洗い乾かすことができ、装置も簡素化してコストを低減できるペット洗浄乾燥装置を提供する。【解決手段】密閉型筐体１の内部の洗浄乾燥室３に、温風噴出部およびシャワー噴出部を有する床板２と、同じく温風噴出部およびシャワー噴出部を有する左右のブロワ・ノズル固定棚８と、シャワー、シャンプーおよびコンディショナーを噴出するシャワー用ノズル２２並びに吸気口２３を設けた天井部とを備え、ブロワ・ノズル固定棚８を、任意に設定できる上下幅で移動可能としたペット洗浄乾燥装置。左右の移動フレームは、互いに接近および離隔する方向に移動可能とする。【選択図】  図１
2005278578.tif 000002
【特許請求の範囲】
【請求項１】
密閉型筐体の内部の洗浄乾燥室に、温風噴出部およびシャワー噴出部を有する床板と、同じく温風噴出部およびシャワー噴出部を有する左右のブロワ・ノズル固定棚と、シャワー噴出部およびシャンプーおよびコンディショナー噴出部並びに吸気口を設けた天井部とを備え、前記ブロワ・ノズル固定棚を、任意に設定できる上下幅で移動可能としたことを特徴とするペット洗浄乾燥装置。
【請求項２】
前記ブロワ・ノズル固定棚を搭載した左右の移動フレームを、互いに接近および離隔する方向に移動可能としたことを特徴とする請求項１記載のペット洗浄乾燥装置。
【請求項３】
前記移動フレームの内側開口部を、前記ブロワ・ノズル固定棚とともに昇降するカーテンで覆ったことを特徴とする請求項２記載のペット洗浄乾燥装置。
【発明の詳細な説明】
【技術分野】
【０００１】
本発明は、犬や猫などのペットを自動的に洗浄及び乾燥するペット洗浄乾燥装置に関する。
【背景技術】
【０００２】
犬には元来適度な運動が必要で、犬の心身の健康状態を保つためには毎日散歩は欠かせない。しかし雨の日に犬を外に出すと汚れるので散歩を止めてしまう。その大きな理由は犬を洗ってヘアドライヤやブラシなどを使って毛を乾かすのに２時間もかかるので、飼い主はその手間が煩わしく雨の日の散歩を止めてしまうからである。しかし犬は運動不足となりストレスが溜まってイライラしたり病気になったりする。
【０００３】
そのような実情に鑑みて、ペット洗浄、乾燥機が色々考案されている。
例えば、特許文献１には、函形ケースの内部にペット乾燥室と加温乾燥風送り通路と、送風装置室と、ペット乾燥室の底に通風床を介して通風するとともに、加温乾燥風送り通路の下方を連通した乾燥風送り込み室とを設け、乾燥風送り込み室に、モータにより駆動されてペット乾燥室への乾燥風の送り込みを分配して行うスイング翼を配置したペット乾燥機が開示されている。
【０００４】
特許文献２には、動物がシャワー浴を浴びるシャワー浴ブースと、動物の体表に付着した水分を乾燥する乾燥ブースとを設け、監視ポストに、個々の動物に取り付けられた発信機からの情報を受信する確認機が設けられ、シャワー浴ブースに設けられた各種センサによりどのような動物がシャワー浴ブースにいるかを検知してシャワー浴を行うようにした動物用シャワー浴装置が開示されている。
【０００５】
特許文献３には、動物を収納して洗浄、乾燥する動物洗浄装置であって、動物を収納するボックスの前後板と天板とが左右に分割され、左右に揺動する左右側板に前後板と天板とが連動して左右に開閉する収納ボックスを形成し、温水や洗剤を噴射する洗浄ノズルと、送風機構からの温風を排出する送風ノズルとを収納ボックスの内部に設けた動物洗浄装置が開示されている。
【０００６】
特許文献４には、洗浄槽部と温風パイプ部と温水パイプ部と排水部とから構成され、犬を洗浄槽部に入れ、首と胴体の固定を行った後、湯をはり、温水パイプ部と水流羽根により水流を起こして洗浄を始め、一定時間の洗浄後、排水をするとともに、すすぎ温水をはり、犬をすすぎ、その後側面の温風出口より温風を噴き出して乾燥を行うようにした犬の洗浄装置が開示されている。
【０００７】
特許文献５には、動物を収容して洗浄を行う洗浄容器を前後方向に伸延状態とした台座部と、この台座部の伸延方向と平行に台座部に立設した固定側面壁と、台座部の前端において固定側面壁に一端を連結させて立設した前面壁と、台座部の後縁において固定側面壁に一端を連結させて立設した後面壁と、前面壁と後面壁との間に軸の回りに回転自在とした開閉側面壁とより構成され、開閉側面壁を回動させることによって洗浄容器の側面に設けた出入り口の開閉を行うようにした動物洗浄装置が開示されている。
【０００８】
また、スペインのＬＡＶＡＫＡＮ（商標）と呼ばれているペット（特に犬）の洗浄機械は、洗浄乾燥室内に犬や猫を入れた状態で温水シャワー、シャンプー、洗剤等を噴出させて全身を洗浄し、すすぎ後、天井から温風を噴き出して乾燥を行うものである。
【０００９】
【特許文献１】特開平６−４６７０５号公報
【特許文献２】特開平８−２０５７０４号公報
【特許文献３】特開平７−２７４７５８号公報
【特許文献４】特開平８−１１７号公報
【特許文献５】特開２００３−４７３５７号公報
【発明の開示】
【発明が解決しようとする課題】
【００１０】
しかしながら、特許文献１に記載されたペット乾燥機は、乾燥のみの機能であり、洗浄の機能がない。
【００１１】
特許文献２に記載された動物用シャワー浴装置では、シャワー浴ブースと乾燥ブースが別れており、その間を移動させなければならないし、広い敷地が必要である。
【００１２】
特許文献３に記載された動物洗浄装置は、首を収納ボックスから出して洗うので、頭は別に手作業で洗わなければならないし、また立ったまま身動きができないため、長時間の洗浄では動物が嫌がるという問題がある。
【００１３】
特許文献４に記載された犬の洗浄装置では、犬を洗浄槽部に入れて湯をはり、洗浄槽部内で洗浄するので、浮力で犬が浮かないように首と胴体を固定する必要があり、その作業は人手を要するため面倒であるとともに、首と胴体を固定された犬は窮屈で嫌がるという問題がある。
【００１４】
特許文献５に記載された動物洗浄装置では、動物の首を出した状態で胴部を洗浄するので、これも頭部の洗浄作業が残るという問題がある。
【００１５】
この点、ＬＡＶＡＫＡＮの洗浄機械では、ある程度広い洗浄室内で犬に自由度を持たせた状態で洗浄、乾燥を行うため、犬を拘束することなく、また頭部も一緒に洗うことができる。しかし、この洗浄機械は、温風噴出口が天井からの一箇所であり、風量、風向きが動物（犬）に対して適切でないため、胴の側部や腹部の毛が完全に乾燥しにくいという問題がある。通常、一定時間で乾燥工程が終わるので、その時間終了後に外に出てきた犬の毛はまだ濡れた状態となっていることが多い。設定時間を長くしても、胴の側部や腹部に温風が当たらないので、なかなか乾かない。また、この洗浄機械は、大きな動物にも対応するために装置が大きく、広い設置スペースが必要であるため、市街地での設置はコスト的な問題がある。さらに、ランニングコストも高くなる。したがって、流行っているペットランドリー等であれば導入しても採算が合うが、そうでない場合は、導入しても割りが合わないという問題があった。
【００１６】
本発明は、短時間で簡単に犬を洗い乾かすことができ、装置も簡素化してコストを低減できるペット洗浄乾燥装置を提供することを目的とする。
【課題を解決するための手段】
【００１７】
前記課題を解決するため、本発明の第１の構成は、密閉型筐体の内部の洗浄乾燥室に、温風噴出部およびシャワー噴出部を有する床板と、同じく温風噴出部およびシャワー噴出部を有する左右のブロワ・ノズル固定棚と、シャワー噴出部およびシャンプーおよびコンディショナー噴出部並びに吸気口を設けた天井部とを備え、前記ブロワ・ノズル固定棚を、任意に設定できる上下幅で移動可能としたものである。
【００１８】
この第１の構成においては、ペットの洗浄に際し、温水を床板側から上方に、また左右の側方からほぼ水平方向に、さらに上部から下方に向けて噴射させるので、ペットの全身を洗浄することができる。このとき、左右からのシャワーは、ペットの大きさに合わせた上下幅で上下動する。この、左右からのシャワーの上下動によって、適度の強さのシャワーをペットの側面全体に当てることにより、効果的な洗浄ができる。また、長い毛の犬に対しては、シャワーと同時に送風を行うことにより、毛を起こしての洗浄ができ、洗浄効果を高めることができる。次いで、シャンプーを用いて汚れやダニ等を洗い流し、またコンディショナーを用いて毛の傷みを保護し、艶出しを行う。洗浄が終われば、左右および下方からのブロワで温風を噴き出して乾燥を行うが、左右のブロワは上下動するため、ペットの側部は満遍なく温風が吹き付けられ、乾燥が促進される。湿気は、上部の吸気口から排気されるため、洗浄乾燥室内は速やかに乾燥する。このようにして、ペットの洗浄および乾燥が効率的かつ短時間で行われる。
【００１９】
本発明の第２の構成は、前記ブロワ・ノズル固定棚を搭載した左右の移動フレームを、互いに接近および離隔する方向に移動可能としたものである。
この第２の構成により、ペットの大きさに合わせてブロワ・ノズル固定棚の間隔を調整し、できるだけペットに近い距離から洗浄水の噴出および温風の噴出を行うことができる。
【００２０】
本発明の第３の構成は、前記移動フレームの内側開口部を、前記ブロワ・ノズル固定棚とともに昇降するカーテンで覆ったものである。
この第３の構成により、ペットが移動フレームの内側開口部に入ったり挟まれたりする危険から保護される。
【発明の効果】
【００２１】
本発明によれば、動物、特に犬に合わせたスペースを構成でき、しかも側面のシャワーおよび温風の噴出口を上下に移動させることにより、満遍なく、適切な強さのシャワー、温水を犬に施すことができるので、短時間でよりよい洗浄および乾燥をすることができる。また、犬の大きさに合わせて側面のシャワーおよび温風の噴出口を近づけることにより、至近距離からのシャワーおよび乾燥ができ、特に、乾燥時に、強い温風を犬に吹き付けて水を吹き飛ばすことにより、乾燥を早めることができる。
【発明を実施するための最良の形態】
【００２２】
以下、本発明の実施の形態を、図１〜図３に基づいて説明する。
図１（ａ）は本実施の形態に係るペット洗浄乾燥装置の扉を省略した正面図、図１（ｂ）は扉を表した状態の一部正面図、図２はその縦断側面図、図３はその平面図である。
【００２３】
これらの図において、ステンレス製あるいはプラスティック製等の不錆性材料からなる密閉型筐体１の内部にはグレーティングからなる床板２が設けられ、洗浄乾燥室３が形成されている。筐体１の正面には、透明な強化ガラス付き扉４が開閉およびロック可能に設けられている。扉４の開閉を検知するセンサ（図示せず）も設けられている。筐体１内部の洗浄乾燥室３の左右には、移動フレーム５，６が設けられており、その移動フレーム５，６には、それぞれ垂直ガイドレール７が設けられていて、その垂直ガイドレール７により昇降自在にブロワ・ノズル固定棚８が設置されている。ブロワ・ノズル固定棚８は、移動フレーム５，６の上部に固定された昇降用モータ９の駆動ピニオン１０と移動フレーム５，６の下部に設けられた受動ピニオン１１との間に架け渡されたタイミングベルト１２の１箇所に固定され、昇降駆動される。
【００２４】
筐体１の上部にはハンドル１３が設けられており、ハンドル１３の回転動作により、ハンドル軸１４が回転し、その回転は方向変換ギヤ１５によって左右の互いに逆ねじのねじ棒１６，１７に伝達され、移動フレーム５，６の上部に固定されたナット１８，１９により移動フレーム５，６を互いに内側に移動させたり外側に移動させたりして洗浄乾燥室３の幅を調節できるようにしている。ハンドル１４の回転による移動フレーム５，６の移動量は、筐体１のハンドル１３の周囲に表示することもできる。なお、このハンドル機構は、手動ではなく、モータを用いて遠隔操作するように構成することもできる。
【００２５】
ブロワ・ノズル固定棚８には、洗浄乾燥室３内のペットに向けてシャワーを噴射するノズル２０および温風を噴射するブロワ２１が取り付けられている。
【００２６】
移動フレーム５，６の洗浄乾燥室３側の開口面は、上下のカーテン巻き取りリール４５，４６に巻き取られたカーテン４７で覆われており、カーテン４７の端部はブロワ・ノズル固定棚８の上下とともに上下する。
【００２７】
洗浄乾燥室３の天井部には、シャワー用ノズル２２および吸気口２３が設けられている。吸気口２３は吸気ファン２４に連通されており、洗浄乾燥室３内の湿気を排気する。
【００２８】
また、床板２の下部には、床板２の全面から温風を吹き出すためのダクト２５およびブロワ２６およびシャワー噴出口（図示せず）が設けられている。さらに、床板２の下部には、排水パン２７およびフィルタ２８並びに排水ドレンパイプ２９が設けられている。フィルタ２８は、動物の毛等を濾過するものであり、外部から取り外して清掃できるようになっている。
【００２９】
筐体１の後部には、図２に示すように、水道水からの水と、給湯器からの湯を混合する湯水混合装置３０が設置されており、それぞれ、配管３１，３２，３３を介して移動フレーム５，６のノズル２０、天井のシャワー用ノズル２２および床板のシャワー噴出口（図示せず）に連結されている。水量、湯量の制御および開閉は、それぞれ流量調整弁３４，３５，３６，３７により遠隔制御（自動制御）することができるようになっている。上部のシャワー用ノズル２２には、シャンプータンク３８からのシャンプーおよびコンディショナータンク３９からのコンディショナーがそれぞれポンプにより所定のタイミングで噴射するようになっている。
【００３０】
筐体１の正面上部には、操作部４０が設けられており、始動／停止ボタン４１、温風噴射時間設定つまみ４２、シャワー温度設定つまみ４３、シャワー時間設定つまみ４４が設けられている。
【００３１】
なお、本装置の寸法は、例えば、高さ１２４０ｍｍ、幅８６０ｍｍ、奥行き１１５０ｍｍ程度であり、洗浄乾燥室３の広さは、高さ７６０ｍｍ、幅４４０ｍｍ、奥行き７６０ｍｍ程度である。洗浄乾燥室３の幅は、３００ｍｍ〜４４０ｍｍまで、ハンドル１３を調整することで、ペットの大きさに応じて調整することができる。
【００３２】
以上の構成のペット洗浄乾燥装置の動作について以下に説明する。
１．電源スイッチ（図示せず）を入れる。
２．給水止水流量調整を行う。
３．給湯止水流量調整を行う。
４．ハンドル１３を操作して、左右の移動フレーム５，６の水平方向の突出距離を、すなわち洗浄乾燥室３の幅をペットの大きさに応じて調整する。
５．上下移動幅制御シーケンサを操作してブロワ２１の上下移動幅を設定する。
６．シャワー時間設定つまみ４４を操作して、シャワー時間を設定する。例えば、５分〜１５分が適当なシャワー時間である。
７．シャワー温度設定つまみ４３を操作してシャワー温度を調整する。
８．温風噴射時間設定つまみ４２を操作して温風温度を調整する。
９．シャンプータンク３８およびコンディショナータンク３９の液位を液位センサで監視し、所定のレベルより少なくなると充填警告を出す。
【００３３】
以上の設定は、ペット毎に登録しておき、同じペットあるいは同種のペットの再度の使用の際に、登録内容を呼び出してワンタッチで設定をすることもできる。
【００３４】
１０．扉４を開けてペットを入れ、扉４を閉め、操作部４０の始動／停止ボタン４１を押す。このとき、扉４の閉止時のみ通電可能として、安全性を確保する。
１１．洗浄
下部ノズル（図示せず）、上部シャワー用ノズル２２、移動フレーム５，６のノズル２０から温水を噴出させる。移動フレーム５，６のノズル２０は、ブロワ・ノズル固定棚８が昇降用モータ９により予め設定された上下幅で上下するのに合わせて上下する。
１２．シャンプーおよびコンディショナー（リンス）
シャンプータンク３８からシャンプーを吐出する。この間、シャワーも継続して噴射する。所定の時間後、コンディショナータンク３９からコンディショナーを吐出する。
１３．すすぎ
コンディショナーの吐出を停止し、シャワーによって時間経過、すすぎを行う。
１４．乾燥
すすぎ終了後、予め設定された時間、ブロワ２１、２６から温風を噴射する。ブロワ２１は、ブロワ・ノズル固定棚８が昇降用モータ９により予め設定された上下幅で上下するのに合わせて上下する。この間、吸気口２３から排風され、乾燥を早める。所定の乾燥時間、例えば１５分〜６０分送風をしてから送風、排気を停止する。
１５．完了
洗浄乾燥が完了すると、完了ランプが点灯し、扉４のロックが解除される。
【産業上の利用可能性】
【００３５】
本発明は、短時間でよりよい洗浄および乾燥をすることができるペット洗浄乾燥装置として、利用することができる。
【図面の簡単な説明】
【００３６】
【図１】（ａ）は本実施の形態に係るペット洗浄乾燥装置の扉を省略した正面図、（ｂ）は扉を表した状態の一部正面図である。
【図２】本実施の形態に係るペット洗浄乾燥装置の縦断側面図である。
【図３】本実施の形態に係るペット洗浄乾燥装置の平面図である。
【符号の説明】
【００３７】
１  筐体
２  床板
３  洗浄乾燥室
４  扉
５，６  移動フレーム
７  垂直ガイドレール
８  ブロワ・ノズル固定棚
９  昇降用モータ
１０  駆動ピニオン
１１  受動ピニオン
１２  タイミングベルト
１３  ハンドル
１４  ハンドル軸
１５  方向変換ギヤ
１６，１７  ねじ棒
１８，１９  ナット
２０  ノズル
２１  ブロワ
２２  シャワー用ノズル
２３  吸気口
２４  吸気ファン
２５  ダクト
２６  ブロワ
２７  排水パン
２８  フィルタ
２９  排水ドレンパイプ
３０  湯水混合装置
３１，３２，３３  配管
３４，３５，３６，３７  流量調整弁
３８  シャンプータンク
３９  コンディショナータンク
４０  操作部
４１  始動／停止ボタン
４２  温風噴射時間設定つまみ
４３  シャワー温度設定つまみ
４４  シャワー時間設定つまみ
４５，４６  カーテン巻き取りリール
４７  カーテン
【図１】
2005278578.tif 000003
【図２】
2005278578.tif 000004
【図３】
2005278578.tif 000005